(57)【特許請求の範囲】
【請求項１】
再生が必要な対象ガスをリーン吸収液に溶解してリッチ吸収液を生成する吸収塔と、
前記吸収塔で生成されたリッチ吸収液を沸騰させて再生ガスを分離したリーン吸収液を生成し、生成されたリーン吸収液は再び吸収塔に供給する再生塔と、
前記再生塔から供給を受けた再生ガスを凝縮させて凝縮水と目標ガスとを分離し、分離された凝縮水は前記再生塔に供給し、分離された目標ガスは外部に排出するガス凝縮装置と、を含み、
前記ガス凝縮装置は、一つのハウジング内に配置された凝縮器と還流器とを含み、前記凝縮器は、還流器の上部に配置されると共に、
前記再生塔は、
再生塔ハウジングと、
前記再生塔ハウジングの上部に位置し、リッチ吸収液を再生塔ハウジングの内部に供給するリッチ吸収液供給機と、
前記再生塔ハウジングの内部で前記リッチ吸収液供給機の下に位置し、再生塔ハウジングの下部に供給されるリッチ吸収液の流れを整流する再生塔整流器と、
前記再生塔ハウジングの内部で前記再生塔整流器の下に位置し、リッチ吸収液を沸騰させて再生ガスをリッチ吸収液から分離させるリボイラと、
リッチ吸収液を一時的に保存するリッチ吸収液タンクと、
前記再生塔整流器から供給されるリッチ吸収液を前記リッチ吸収液タンクに供給し、前記リボイラで発生した再生ガスを前記リボイラ外部に排出する、前記リボイラと前記再生塔整流器との間の再生塔ハウジング内部に配置された再生塔セパレータと、
前記リボイラで再生ガスが分離されたリーン吸収液を受けて一時的に保存するリーン吸収液タンクと、
を含むことを特徴とするガス捕集プラント。
【請求項２】
前記吸収塔は、
吸収塔ハウジングと、
前記吸収塔ハウジング内の上部に位置し、リーン吸収液を前記吸収塔ハウジング内部に供給するリーン吸収液供給機と、
前記吸収塔ハウジング内部で前記リーン吸収液供給機の下に位置し、吸収塔ハウジングの下部に供給されるリーン吸収液の流れを整流する吸収塔整流器と、
前記吸収塔ハウジング内部で前記吸収塔整流器の下に位置し、対象ガスが溶解したリッチ吸収液が一時的に保存される吸収液チャンバーと、
前記吸収塔整流器と前記吸収液チャンバーとの間の吸収塔ハウジング内部に配置される吸収反応セパレータと、を含み、
前記対象ガスは、前記吸収液チャンバーに捕集されることを特徴とする請求項１に記載のガス捕集プラント。
【請求項３】
前記吸収反応セパレータは、対象ガスが前記吸収液チャンバーから出る出口とリッチ吸収液が前記吸収液チャンバーに入る入口とを分離する構造であることを特徴とする請求項２に記載のガス捕集プラント。
【請求項４】
前記吸収反応セパレータは、
前記吸収塔整流器と前記吸収液チャンバーとの間で前記吸収塔ハウジングを仕切って配置され、少なくとも一つの第１ガス流動孔が形成された第１装着プレートと、
前記第１装着プレートの上面に装着され、その上面は第１屋根によって塞がれている中空の柱状の第１本体と、
前記第１本体の側面に形成され、第１本体の内部と外部とを流体が流れるように連通する少なくとも一つの第１ガス迂回ポートと、
前記第１装着プレートから下方向に延長して形成され、吸収液を吸収液チャンバーに供給する第１液体供給管と、を含み、
前記少なくとも一つの第１ガス流動孔は、前記第１装着プレート下部の前記吸収塔ハウジングの内部と前記第１本体の内部を流体が流れるように連通されたことを特徴とする請求項３に記載のガス捕集プラント。
【請求項５】
前記吸収塔ハウジングの上段部には、目標ガスが除去された処理ガスを吸収塔ハウジングの外部に排出するための処理ガス流出口が形成され、前記吸収塔ハウジングの下段部には、リッチ吸収液を再生塔に供給するための吸収塔流出口が形成されたことを特徴とする請求項２に記載のガス捕集プラント。
【請求項６】
前記リボイラは、前記リッチ吸収液タンクを通じてのみリッチ吸収液の供給を受けることを特徴とする請求項１に記載のガス捕集プラント。
【請求項７】
前記リッチ吸収液タンクの下部にはリッチ吸収液流出口が形成され、前記再生塔ハウジングの下部には前記リッチ吸収液流出口と連通したリッチ吸収液流入口が形成され、前記リッチ吸収液タンク内のリッチ吸収液は、リッチ吸収液流出口とリッチ吸収液流入口を通じて前記リボイラに供給されることを特徴とする請求項６に記載のガス捕集プラント。
【請求項８】
前記再生塔ハウジングは、リッチ吸収液連結ラインを通じて流体が流入するように前記リッチ吸収液タンクと連結され、リーン吸収液連結ラインを通じてリーン吸収液タンクと連結され、前記リッチ吸収液連結ラインと前記再生塔ハウジングとの連結部位は、前記リーン吸収液連結ラインと前記再生塔ハウジングとの連結部位より上側に位置したことを特徴とする請求項６に記載のガス捕集プラント。
【請求項９】
前記再生塔セパレータは、前記再生塔整流器を通過したリッチ吸収液がリッチ吸収液タンクを通じてのみ前記リボイラに供給されるようにし、前記リボイラで発生した再生ガスを直接前記リボイラ外部に排出することを特徴とする請求項８に記載のガス捕集プラント。
【請求項１０】
前記再生塔セパレータは、
前記リッチ吸収液連結ラインと前記再生塔ハウジングとの連結部位の下部で前記再生塔ハウジングを仕切って配置され、少なくとも一つの第２ガス流動孔が形成された第２装着プレートと、
前記第２装着プレートの上面に装着され、その上面は第２屋根によって塞がれている中空の柱状の第２本体と、
前記第２本体の側面に形成され、第２本体の内部と外部とを流体が流れるように連通する少なくとも一つの第２ガス迂回ポートと、を含み、
前記少なくとも一つの第２ガス流動孔は、前記第２装着プレート下部の前記再生塔ハウジングの内部と前記第２本体の内部を流体が流れるように連通されたことを特徴とする請求項９に記載のガス捕集プラント。
【請求項１１】
前記リボイラで発生した再生ガスは、前記少なくとも一つの第２ガス流動孔と前記少なくとも一つの第２ガス迂回ポートを通じてのみ前記第２装着プレート上部の再生塔ハウジング内部に供給されることを特徴とする請求項１０に記載のガス捕集プラント。
【請求項１２】
前記リーン吸収液連結ラインと前記再生塔ハウジングとの連結部位は、前記リボイラと第２装着プレートとの間に位置することを特徴とする請求項１０に記載のガス捕集プラント。
【請求項１３】
前記リボイラは、
作動流体を流す第１循環ラインと、
前記リーン吸収液、リッチ吸収液および／または再生ガスを流す第２循環ラインと、を含み、
前記第１循環ラインと第２循環ラインは互いに近接して形成され、第１循環ラインを流れる作動流体と前記第２循環ラインを流れるリーン吸収液、リッチ吸収液および／または再生ガスは、互いに混じり合うことなく互いに熱交換されることを特徴とする請求項１に記載のガス捕集プラント。
【請求項１４】
前記リボイラは、電流の供給を受けて発熱する電気熱線を含むことを特徴とする請求項１に記載のガス捕集プラント。
【請求項１５】
前記リーン吸収液タンクの下部には、リーン吸収液を前記吸収塔に再び供給するためのリーン吸収液流出口が形成され、前記再生塔ハウジングの上部には、再生ガスをガス凝縮装置に供給するための再生ガス流出口が形成されたことを特徴とする請求項１に記載のガス捕集プラント。
【請求項１６】
前記還流器は、
前記一つのハウジングの下部に形成され、凝縮水が一時的に保存される凝縮水チャンバーと、
前記凝縮器と前記凝縮水チャンバーとの間の一つのハウジング内部に配置され、前記凝縮器を通過する凝縮水を前記凝縮水チャンバーに供給し、前記凝縮水から蒸発した蒸発ガスを前記凝縮水チャンバー外部に排出する還流セパレータと、
を含むことを特徴とする請求項１に記載のガス捕集プラント。
【請求項１７】
前記還流セパレータは、前記蒸発ガスが凝縮水チャンバーから出る出口と凝縮器を通過した凝縮水が前記凝縮水チャンバーに入る入口とを分離する構造であることを特徴とする請求項１６に記載のガス捕集プラント。
【請求項１８】
前記還流セパレータは、
前記凝縮器と前記凝縮水チャンバーとの間で前記一つのハウジングを仕切って配置され、少なくとも一つの第３ガス流動孔が形成された第３装着プレートと、
前記第３装着プレートの上面に装着され、その上面は第３屋根によって塞がれている中空の柱状の第３本体と、
前記第３本体の側面に形成され、第３本体の内部と外部とを流体が流れるように連通する一つ以上の第３ガス迂回ポートと、
前記第３装着プレートから下方向に延長して形成され、凝縮水を凝縮水チャンバーに供給する第２液体供給管と、を含み、
前記少なくとも一つの第３ガス流動孔は、前記第３装着プレート下部の前記一つのハウジングの内部と前記第３本体の内部を流体が流れるように連通されたことを特徴とする請求項１７に記載のガス捕集プラント。
【請求項１９】
前記第３装着プレート上部の前記一つのハウジングには、前記再生ガスから分離された目標ガスをガス凝縮装置の外部に排出するための目標ガス排出口が形成されたことを特徴とする請求項１８に記載のガス捕集プラント。
【請求項２０】
前記一つのハウジングの下部には、凝縮水を前記再生塔に再び供給するための凝縮水流出口が形成され、前記一つのハウジングの上部には、再生塔から再生ガスの供給を受けるための再生ガス流入口が形成されたことを特徴とする請求項１６に記載のガス捕集プラント。
【発明の詳細な説明】
【技術分野】
【０００１】
本発明は、ガス捕集プラントに係り、より詳しくは、対象ガスを吸収液に溶解してリッチ吸収液を製作し、製作したリッチ吸収液を再生して再生ガスを生成した後、再生ガスを凝縮させて目標ガスを分離するガス捕集プラントに関する。
【背景技術】
【０００２】
地球温暖化と大気汚染が激しくなるにつれて、二酸化炭素の大気放出を抑制するための技術開発が盛んに行われている。特に、火力発電所やボイラ設備から放出される二酸化炭素を効率的に捕集する方法を開発するための多くの研究が行われている。
多様なガス捕集方法の中で、最近、二酸化炭素を捕集するために、吸収液を利用した化学吸収法が大容量の二酸化炭素捕集に適していることが広く知られるようになってきた。化学吸収法を利用したガス捕集プラントは、火力発電所やボイラ設備から放出される二酸化炭素を吸収塔で吸収液に吸収させ、二酸化炭素を吸収した飽和吸収液を再生塔で加熱して二酸化炭素を含む再生ガスを吸収液から分離する（例えば、特許文献１，２参照）。
従来のガス捕集プラントは、吸収塔内に設置された整流器で二酸化炭素と吸収液が接触するようにし、この時、吸収液が整流器内の充填物を通る時に発生する偏流現象を防止するために、充填物間に吸収液を中心に集める装置を設置するか、気体を均等に分散させるための分散板を吸収塔の上部に設置していた。つまり、吸収塔の上部構造を改善して気体と液体の偏流現象を防止した。しかし、吸収塔下部で気体の速い線速度と吸収液の落下液滴による異常現象を制御することが困難であった。
【０００３】
また、再生塔には、再生のためのエネルギー供給源として吸収液加熱用リボイラ（ＲＥＢＯＩＬＥＲ）が装着された。リボイラは、吸収液を再生可能な温度まで加熱して、吸収液に含まれた気体を分離するもので、吸収液から分離された気体は、再生塔の上部に移動して、一部有用な物質は凝縮器に回収し、除去対象であるガスのみ再生塔から排出していた。
従来のリボイラには、ケトル（ＫＥＴＴＬＥ）形式のリボイラ、またはサーモサイフォン（ＴＨＥＲＭＯＣＹＰＨＯＮ）形式のリボイラが使用された。
ケトル形式のリボイラは、その内部が隔壁によって第１、２部分に分離されており、第１部分にはヒーターや熱交換器が配置され、第２部分は吸収液排出口が形成された。気体を含有する吸収液が上部から供給されると、リボイラ内部の吸収液の水位が高くなる。この時、吸収液は、ヒーターや熱交換器によって加熱され、気体は、吸収液から分離して上部に移動する。吸収液が供給し続けられると、気体は除去され、気体を少し含有している吸収液は、隔壁を越えて第２部分に流れ、吸収液排出口を通じてリボイラから排出される。ケトル形式のリボイラは、混合液の落下液滴が作り出す液体波動と沸騰現象によって水面が波うつため、精密な吸収液の水位調節が難しくなるという問題点があった。
【０００４】
サーモサイフォン形式のリボイラは、その内部にヒーターや熱交換器が配置され、その底に吸収液排出口が形成される。気体を含有する吸収液が上部から供給されると、リボイラ内部の吸収液は、ヒーターや熱交換器によって加熱され、気体は、吸収液から分離して上部に移動する。この時、気体が除去され、気体を少し含有している吸収液は、リボイラの底に移動して吸収液排出口から排出される。サーモサイフォン形式のリボイラによると、沸騰現象によって水位制御が非常に難しく、また、隔壁がないため、混合液がリボイラに滞留する時間が短くなり、再生に必要なエネルギーを十分に受けることができないため、再生のためのガス分離効率が低いという問題点を有している。
また、ケトル形式のリボイラとサーモサイフォン形式のリボイラは、全て混合液の供給経路と混合液から分離したガスの排出経路が同一である。従って、加熱によって泡が発生すると、泡によって混合液がヒーターや熱交換器に到達することができなくなる。この状態が持続すれば、再生塔内の混合液の水位が異常に高くなり、吸収塔と再生塔の作動を中止せざるを得なくなる問題点があった。
【０００５】
さらに、化学吸収法を利用したガス捕集プラントは、再生ガスを凝縮して凝縮水を生成するための凝縮器と、凝縮水から蒸発したガスを外部に排出して捕集し、凝縮水を再生塔に再び供給するための還流器とを含む。
従来のガス捕集プラントによると、還流器内の凝縮水の水位調節のために、凝縮器と還流器とを分離して配置した。これにより、ガス捕集プラントの全体体積が大きくなり、設置のために多くの空間を確保しなければならいという問題点があった。また、還流器と凝縮器とが分離されているので、還流器と凝縮器との間で熱的損失が大きくなる問題点もあった。
【先行技術文献】
【特許文献】
【０００６】
【特許文献１】特開２００５−００８４７８号公報
【特許文献２】特開２０１２−１１５８２６号公報
【発明の概要】
【発明が解決しようとする課題】
【０００７】
本発明は、上記の問題点を解決するためになされたものであって、その目的とするところは、吸収塔の下部と再生塔の下部で気体の経路と液体の経路とを分離してガス捕集効率を向上させることができるガス捕集プラントを提供することにある。
また、他の目的とするところは、凝縮器と還流器とを一つのハウジングに設置することで、設置空間を縮小し、熱的損失を防止するガス捕集プラントを提供することにある。
【課題を解決するための手段】
【０００８】
上記目的を達成するためになされた本発明のガス捕集プラントは、再生が必要な対象ガスをリーン吸収液に溶解してリッチ吸収液を生成する吸収塔と、前記吸収塔で生成されたリッチ吸収液を沸騰させて再生ガスを分離したリーン吸収液を生成し、生成されたリーン吸収液は再び吸収塔に供給する再生塔と、前記再生塔から供給を受けた再生ガスを凝縮させて凝縮水と目標ガスとを分離し、分離された凝縮水は前記再生塔に供給し、分離された目標ガスは外部に排出するガス凝縮装置と、を含み、前記ガス凝縮装置は、一つのハウジング内に配置された凝縮器と還流器とを含み、前記凝縮器は、還流器の上部に配置されると共に、前記再生塔は、再生塔ハウジングと、前記再生塔ハウジングの上部に位置し、リッチ吸収液を再生塔ハウジングの内部に供給するリッチ吸収液供給機と、前記再生塔ハウジングの内部で前記リッチ吸収液供給機の下に位置し、再生塔ハウジングの下部に供給されるリッチ吸収液の流れを整流する再生塔整流器と、前記再生塔ハウジングの内部で前記再生塔整流器の下に位置し、リッチ吸収液を沸騰させて再生ガスをリッチ吸収液から分離させるリボイラと、リッチ吸収液を一時的に保存するリッチ吸収液タンクと、前記再生塔整流器から供給されるリッチ吸収液を前記リッチ吸収液タンクに供給し、前記リボイラで発生した再生ガスを前記リボイラ外部に排出する、前記リボイラと前記再生塔整流器との間の再生塔ハウジング内部に配置された再生塔セパレータと、前記リボイラで再生ガスが分離されたリーン吸収液を受けて一時的に保存するリーン吸収液タンクと、を含むことを特徴とする。
【０００９】
吸収塔は、吸収塔ハウジングと、吸収塔ハウジング内の上部に位置し、リーン吸収液を吸収塔ハウジング内部に供給するリーン吸収液供給機と、吸収塔ハウジング内部でリーン吸収液供給機の下に位置し、吸収塔ハウジングの下部に供給されるリーン吸収液の流れを整流する吸収塔整流器と、吸収塔ハウジング内部で吸収塔整流器の下に位置し、対象ガスが溶解したリッチ吸収液が一時的に保存される吸収液チャンバーと、吸収塔整流器と吸収液チャンバーとの間の吸収塔ハウジング内部に配置される吸収反応セパレータとを含み、対象ガスは、吸収液チャンバーに捕集されることが好ましい。
吸収反応セパレータは、対象ガスが吸収液チャンバーから出る出口とリッチ吸収液が吸収液チャンバーに入る入口とを分離する構造であることが好ましい。
【００１０】
吸収反応セパレータは、吸収塔整流器と吸収液チャンバーとの間で吸収塔ハウジングを仕切って配置され、少なくとも一つの第１ガス流動孔が形成された第１装着プレートと、第１装着プレートの上面に装着され、その上面は第１屋根によって塞がれている中空の柱状の第１本体と、第１本体の側面に形成され、第１本体の内部と外部とを流体が流れるように連通する少なくとも一つの第１ガス迂回ポートと、第１装着プレートから下方向に延長して形成され、吸収液を吸収液チャンバーに供給する第１液体供給管とを含み、少なくとも一つの第１ガス流動孔は、第１装着プレート下部の吸収塔ハウジングの内部と第１本体の内部を流体が流れるように連通されることが好ましい。
吸収塔ハウジングの上段部には、目標ガスが除去された処理ガスを吸収塔ハウジングの外部に排出するための処理ガス流出口が形成され、吸収塔ハウジングの下段部には、リッチ吸収液を再生塔に供給するための吸収塔流出口が形成されることが好ましい。
【００１１】
リボイラは、リッチ吸収液タンクを通じてのみリッチ吸収液の供給を受けることがよい。
リッチ吸収液タンクの下部にはリッチ吸収液流出口が形成され、再生塔ハウジングの下部にはリッチ吸収液流出口と連通したリッチ吸収液流入口が形成され、リッチ吸収液タンク内のリッチ吸収液は、リッチ吸収液流出口とリッチ吸収液流入口を通じてリボイラに供給されることが好ましい。
【００１２】
再生塔ハウジングは、リッチ吸収液連結ラインを通じて流体が流入するようにリッチ吸収液タンクと連結され、リーン吸収液連結ラインを通じてリーン吸収液タンクと連結され、リッチ吸収液連結ラインと再生塔ハウジングとの連結部位は、リーン吸収液連結ラインと再生塔ハウジングとの連結部位より上側に位置することが好ましい。
再生塔セパレータは、再生塔整流器を通過したリッチ吸収液がリッチ吸収液タンクを通じてのみリボイラに供給されるようにし、リボイラで発生した再生ガスを直接リボイラ外部に排出することが好ましい。
再生塔セパレータは、リッチ吸収液連結ラインと再生塔ハウジングとの連結部位の下部で再生塔ハウジングを仕切って配置され、少なくとも一つの第２ガス流動孔が形成された第２装着プレートと、第２装着プレートの上面に装着され、その上面は第２屋根によって塞がれている中空の柱状の第２本体と、第２本体の側面に形成され、第２本体の内部と外部とを流体が流れるように連通する少なくとも一つの第２ガス迂回ポートとを含み、少なくとも一つの第２ガス流動孔は、第２装着プレート下部の再生塔ハウジングの内部と第２本体の内部を流体が流れるように連通されることが好ましい。
【００１３】
リボイラで発生した再生ガスは、少なくとも一つの第２ガス流動孔と少なくとも一つの第２ガス迂回ポートを通じてのみ第２装着プレート上部の再生塔ハウジング内部に供給されることが好ましい。
リーン吸収液連結ラインと再生塔ハウジングとの連結部位は、リボイラと第２装着プレートとの間に位置することが好ましい。
リボイラは、作動流体を流す第１循環ラインと、リーン吸収液、リッチ吸収液および／または再生ガスを流す第２循環ラインとを含み、第１循環ラインと第２循環ラインは互いに近接して形成され、第１循環ラインを流れる作動流体と第２循環ラインを流れるリーン吸収液、リッチ吸収液および／または再生ガスは、互いに混じり合うことなく互いに熱交換されることが好ましい。
リボイラは、電流の供給を受けて発熱する電気熱線を含むことがよい。
【００１４】
リーン吸収液タンクの下部には、リーン吸収液を吸収塔に再び供給するためのリーン吸収液流出口が形成され、再生塔ハウジングの上部には、再生ガスをガス凝縮装置に供給するための再生ガス流出口が形成されることが好ましい。
還流器は、一つのハウジングの下部に形成され、凝縮水が一時的に保存される凝縮水チャンバーと、凝縮器と凝縮水チャンバーとの間の一つのハウジング内部に配置され、凝縮器を通過する凝縮水を凝縮水チャンバーに供給し、凝縮水から蒸発した蒸発ガスを凝縮水チャンバー外部に排出する還流セパレータとを含むことが好ましい。
還流セパレータは、蒸発ガスが凝縮水チャンバーから出る出口と凝縮器を通過した凝縮水が凝縮水チャンバーに入る入口とを分離する構造であることが好ましい。
【００１５】
還流セパレータは、凝縮器と凝縮水チャンバーとの間で一つのハウジングを仕切りって配置され、少なくとも一つの第３ガス流動孔が形成された第３装着プレートと、第３装着プレートの上面に装着され、その上面は第３屋根によって塞がれている中空の柱状の第３本体と、第３本体の側面に形成され、第３本体の内部と外部とを流体が流れるように連通する一つ以上の第３ガス迂回ポートと、第３装着プレートから下方向に延長して形成され、凝縮水を凝縮水チャンバーに供給する第２液体供給管とを含み、少なくとも一つの第３ガス流動孔は、第３装着プレート下部の一つのハウジングの内部と第３本体の内部を流体が流れるように連通されることが好ましい。
第３装着プレート上部の一つのハウジングには、再生ガスから分離された目標ガスをガス凝縮装置の外部に排出するための目標ガス排出口が形成されることが好ましい。
一つのハウジングの下部には、凝縮水を再生塔に再び供給するための凝縮水流出口が形成され、一つのハウジングの上部には、再生塔から再生ガスの供給を受けるための再生ガス流入口が形成されることが好ましい。
【発明の効果】
【００１６】
本発明によると、凝縮器と還流器とを一つのハウジングに装着することで、熱的損失を防止し、設置空間を減らすことができる。また、凝縮器と還流器とを一つのハウジングに装着するために、還流器セパレータを通じて還流器に流入される凝縮水の経路と還流器から排出する蒸発ガスの経路とを分離して凝縮水の水位制御が可能である。
また、再生塔でリボイラに供給される混合液の経路とリボイラから排出されるガスの経路とを分離してガスを含有する吸収液からガスを安定して分離することができる。従って、ガス分離工程を安定して行うことができ、ガス分離効率も向上する。
さらに、吸収塔で対象ガスが吸収液チャンバーから出る出口とリッチ吸収液が吸収液チャンバーに入る入口とを分離して吸収液の水位制御を容易にし、吸収液で気泡の発生を抑制することができる。
【図面の簡単な説明】
【００１７】
【図１】本発明の実施例に係るガス捕集プラントの概略図である。
【図２】本発明の実施例に係る吸収反応セパレータの概略図である。
【図３】本発明の実施例に係るリボイリング装置の概略図である。
【図４】本発明の実施例に係る再生塔セパレータの概略図である。
【図５】本発明の実施例に係るガス凝縮装置の概略図である。
【発明を実施するための形態】
【００１８】
本明細書および特許請求の範囲において「リッチ吸収液」とは、再生対象であるガスを多く含有する吸収液、またはガスを吸収した後、ガスの再生前の吸収液を意味する。
本明細書および特許請求の範囲において「リーン吸収液」とは、再生対象であるガスを少なく含有する吸収液、またはガスが分離された吸収液を意味する。
本明細書および特許請求の範囲において「再生」とは、吸収液からガスを分離することを意味する。
本明細書および特許請求の範囲において「再生ガス」とは、吸収液から分離されたガスを意味する。
本明細書および特許請求の範囲において「対象ガス」とは、再生対象であるガス、つまり、再生前のガスを意味する。
本明細書および特許請求の範囲において「目標ガス」とは、対象ガスから分離して捕集されるガスを意味する。
本明細書および特許請求の範囲において「処理ガス」とは、対象ガスが吸収液に溶解して残ったガスを意味する。
本明細書および特許請求の範囲において「蒸発ガス」とは、凝縮水で蒸発したガスを意味する。
本明細書および特許請求の範囲において「上側」、「上部」または「上段」は、「一側」、「一段部」、「一側部」または「一段」を含み、「下側」、「下部」または「下段」は、「他側」、「他段部」、「他側部」または「他段」を含むと解釈されるべきである。
また、本発明の実施例は、二酸化炭素を回収するための化学吸収法だけでなく、気液分離工程に汎用的に使用することができるガス補修方法であり、吸収液にガスを吸収させた後、吸収液を加熱してガスを分離する全ての化学吸収法に使用することができる。従って、本発明の範囲を二酸化炭素を回収するための化学吸収法に使用するガス捕集プラントに限定してはならない。
【００１９】
以下、本発明の好ましい実施例を添付の図面に基づいて詳しく説明する。
図１は、本発明の実施例に係るガス捕集プラントの概略図であり、図２は、本発明の実施例に係る吸収反応セパレータの概略図であり、図３は、本発明の実施例に係るリボイリング装置の概略図であり、図４は、本発明の実施例に係る再生塔セパレータの概略図であり、図５は、本発明の実施例に係るガス凝縮装置の概略図である。
図１に示したとおり、本発明の実施例に係るガス捕集プラント１は、吸収塔１０、再生塔１００、そしてガス凝縮装置２００を含む。
吸収塔１０は、再生が必要な（つまり、分離物質が含まれた）対象ガスをリーン吸収液に溶解してリッチ吸収液を生成するもので、吸収塔ハウジング２を含む。
吸収塔ハウジング２は、その内部に空間が形成され、空間には、上部から下部まで順次にリーン吸収液供給機１２、プレート１４、吸収塔整流器２０、そして吸収反応セパレータ３０が配置される。吸収塔ハウジング２の下部、つまり、吸収反応セパレータ３０の下には吸収液チャンバー９が形成される。
【００２０】
リーン吸収液供給機１２は、吸収塔ハウジング２内部の上部に配置され、リーン吸収液ライン６０を通じて再生塔１００に連結される。リーン吸収液供給機１２は、再生塔１００からリーン吸収液ライン６０を通じて供給を受けたリーン吸収液を吸収塔ハウジング２内部に供給する。吸収塔ハウジング２内部に供給されたリーン吸収液は、重力によって吸収塔ハウジング２下部に落下する。
プレート１４は、リーン吸収液供給機１２下部の吸収塔ハウジング２内部に装着される。プレート１４は、吸収塔ハウジング２を横切って装着され、少なくとも一つの貫通孔１６がプレート１４に形成される。吸収塔ハウジング２の下部に落下するリーン吸収液は、プレート１４と貫通孔１６によって吸収塔ハウジング２の内部に均等に分散される。
吸収塔整流器２０は、プレート１４の下部の吸収塔ハウジング２内部に配置されている。吸収塔整流器２０は、細長いワイヤーを不規則な形状により合わして形成してもよいが、これに限定されない。これとは違って、吸収塔整流器２０では、空隙率の大きいフォームプラスチックが使用されてもよい。吸収塔整流器２０は、リーン吸収液の流れを一定に整流する。また、吸収塔整流器２０を通過するリーン吸収液と対象ガスは、互いに会って対象ガスがリーン吸収液に溶解してリッチ吸収液が生成される。
【００２１】
吸収反応セパレータ３０は、吸収塔整流器２０と吸収液チャンバー９との間の吸収塔ハウジング２内部に配置されている。吸収反応セパレータ３０は、吸収液チャンバー９に供給されるリッチ吸収液の入口と吸収液チャンバーから出る対象ガスの出口とを分離する。このような目的のために、吸収反応セパレータ３０は、図２に示したとおり、第１装着プレート３４、第１本体３２、そして第１ガス迂回ポート３８を含む。
第１装着プレート３４は、吸収塔整流器２０の下部で吸収塔ハウジング２を横切って配置される。第１装着プレート３４には、少なくとも一つの第１ガス流動孔３６と第１液体供給管４０が形成されている。
第１本体３２は、第１装着プレート３４の上面に装着され、上方向に延長している。第１本体３２の上面は、第１屋根３９によって塞がれており、上部から落下するリッチ吸収液が第１本体３２の内部に入れず、第１装着プレート３４上に溜まり、第１装着プレート３４上に溜まっているリッチ吸収液は、第１液体供給管４０を通じて吸収液チャンバー９に供給される。この時、第１液体供給管４０は、吸収液チャンバー９の下部に吸収塔ハウジング２の底付近まで延長している。従って、リッチ吸収液は、吸収液チャンバー９に一時的に保存されるリッチ吸収液の水面下に供給され、それにより、吸収液チャンバー９に一時的に保存されたリッチ吸収液の水面に大きな揺動が発生せず、水位調節が容易になる。
【００２２】
また、第１本体３２は、少なくとも一つの第１ガス流動孔３６を全て囲むように形成され、リッチ吸収液が第１本体３２を通じて吸収液チャンバー９に一時的に保存されるリッチ吸収液の水面に向かって直接供給されることを防止する。
少なくとも一つの第１ガス迂回ポート３８は、第１本体３２の側面に形成され、第１本体３２の内部と外部とを流体が流れるように連通する。少なくとも一つの第１ガス迂回ポート３８は、第１装着プレート３４から設定された高さに形成され、第１装着プレート３４の上に溜まっているリッチ吸収液が第１ガス迂回ポート３８を通じて第１本体３２の内部に入ることを防止する。
吸収塔ハウジング２には、処理ガス流出口４、対象ガス流入口６、そして吸収塔流出口８がさらに形成されている。
処理ガス流出口４は、吸収液に溶解して残った処理ガスを吸収塔１０の外部に排出するもので、吸収塔ハウジング２の上部に形成されている。
対象ガス流入口６は、再生が必要な対象ガスを吸収塔１０に供給するためのもので、吸収塔ハウジング２の下部、つまり、吸収液チャンバー９に形成されている。従って、吸収液チャンバー９に供給された対象ガスは、吸収反応セパレータ３０、吸収塔整流器２０を通りながら吸収液に溶解され、処理ガスは、吸収塔ハウジング２の上部の処理ガス流出口４を通じて吸収塔１０の外部に排出する。
【００２３】
吸収塔流出口８は、吸収塔ハウジング２の下段部に形成されている。従って、吸収液チャンバー９に一時的に保存されたリッチ吸収液は、吸収塔流出口８を通じて再生塔１００に供給される。このような目的で、吸収塔流出口８は、リッチ吸収液ライン５０を通じて再生塔１００に連結される。
一方、リッチ吸収液ライン５０とリーン吸収液ライン６０には、それぞれ第１、第２ポンプ５２、６２が装着され、リッチ吸収液とリーン吸収液をポンピングする。また、リッチ吸収液ライン５０とリーン吸収液ライン６０には、少なくとも一つの熱交換器７０、８０が配置され、リーン吸収液とリッチ吸収液を互いに熱交換させる。
リーン吸収液は、リーン吸収液供給機１２を通じて吸収塔１０の上部に供給され、対象ガスは、対象ガス流入口６を通じて吸収液チャンバー９に供給される。リーン吸収液は、重力によって吸収塔１０の下部に移動し、対象ガスは、吸収反応セパレータ３０の第１ガス流動孔３６と第１ガス迂回ポート３８を通じて吸収液チャンバー９から出て行って吸収塔１０の上部に移動する。リーン吸収液と対象ガスは、吸収塔整流器２０で会って対象ガスがリーン吸収液に溶解してリッチ吸収液が生成される。
【００２４】
リッチ吸収液は、吸収塔１０の下部に移動して第１装着プレート３４に溜まった後、第１液体供給管４０を通じて吸収液チャンバー９の下部に供給される。従って、吸収液チャンバー９に保存されたリッチ吸収液の水面に大きな揺動が発生せず、水位調節が容易になる。また、リッチ吸収液が吸収液チャンバー９に供給される経路と対象ガスが吸収液チャンバー９から出る経路とが分離されているので、対象ガスの速い線速度によってリッチ吸収液から揮発成分が除去されて吸収液組成が変化することが防止される。そのため、吸収液の組成変化で効率が低下することが防止される。
また、吸収液に溶解して残った処理ガスは、吸収塔１０の上部に移動して処理ガス流出口４を通じて吸収塔１０の外部に排出する。
図１に示したとおり、本発明の実施例に係る再生塔１００は、再生塔ハウジング１０２を含む。
再生塔ハウジング１０２は、その内部に空間が形成され、空間には、上部から下部まで順次に第１リッチ吸収液供給機１１２、第１再生塔整流器１２０、第２リッチ吸収液供給機１３２および第２再生塔整流器１４０が配置される。また、再生塔ハウジング１０２の上段には再生ガス流出口１０４が形成され、再生塔ハウジング１０２の下段にはリッチ吸収液流入口１０６が形成されている。
【００２５】
第１リッチ吸収液供給機１１２は、再生塔ハウジング１０２内部の上部に配置され、リッチ吸収液ライン５０を通じて吸収液チャンバー９からリッチ吸収液の供給を受けたり、凝縮水ライン１０９を通じてガス凝縮装置２００または熱交換器（図示せず）から凝縮水の供給を受ける。第１リッチ吸収液供給機１１２は、リッチ吸収液ライン５０を通じて供給を受けたリッチ吸収液および／または凝縮水ライン１０９を通じて供給を受けた凝縮水を再生塔ハウジング１０２の内部に供給する。第１リッチ吸収液供給機１１２から供給されたリッチ吸収液および／または凝縮水は、重力によって再生塔ハウジング１０２の下部に移動する。
プレート１１４は、第１リッチ吸収液供給機１１２下部の再生塔ハウジング１０２内部に装着される。プレート１１４は、再生塔ハウジング１０２を横切って装着され、少なくとも一つの貫通孔１１６がプレート１１４に形成される。再生塔ハウジング１０２の下部に落下するリッチ吸収液および／または凝縮水は、プレート１１４と貫通孔１１６によって再生塔ハウジング１０２の内部に均等に分散される。
第１再生塔整流器１２０は、プレート１１４下部の再生塔ハウジング１０２内部に配置されている。第１再生塔整流器１２０は、細長いワイヤーを不規則な形状により合わして形成してもよいが、これに限定されない。これとは違って、第１再生塔整流器１２０では、空隙率の大きいフォームプラスチックが使用されてもよい。第１再生塔整流器１２０は、リッチ吸収液および／または凝縮水の流れを一定に整流する。
【００２６】
第２リッチ吸収液供給機１３２は、第１再生塔整流器１２０下部の再生塔ハウジング１０２内部に配置され、リッチ吸収液ライン５０を通じて吸収液チャンバー９からリッチ吸収液の供給を受ける。第２リッチ吸収液供給機１３２は、リッチ吸収液ライン５０を通じて供給を受けたリッチ吸収液を再生塔ハウジング１０２の内部に供給する。第２リッチ吸収液供給機１３２から供給されたリッチ吸収液は、重力によって再生塔ハウジング１０２の下部に移動する。
第２リッチ吸収液供給機１３２に供給されるリッチ吸収液は、第１リッチ吸収液供給機１１２に供給されるリッチ吸収液と同一であっても異なってもよい。
プレート１３４は、第２リッチ吸収液供給機１３２下部の再生塔ハウジング１０２内部に装着される。プレート１３４は、再生塔ハウジング１０２を横切って装着され、少なくとも一つの貫通孔１３６がプレート１３４に形成される。再生塔ハウジング１０２の下部に落下するリッチ吸収液および／または凝縮水は、プレート１３４と貫通孔１３６によって再生塔ハウジング１０２の内部に均等に分散される。
第２再生塔整流器１４０は、プレート１３４下部の再生塔ハウジング１０２内部に配置されている。第２再生塔整流器１４０は、細長いワイヤーを不規則な形状により合わして形成してもよいが、これに限定されない。これとは違って、第２再生塔整流器１４０では、空隙率の大きいフォームプラスチックが使用されてもよい。第２再生塔整流器１４０は、第１リッチ吸収液供給機１１２から供給されるリッチ吸収液および／または凝縮水の流れを一定に整流し、第２リッチ吸収液供給機１３２から供給されるリッチ吸収液の流れを一定に整流する。
【００２７】
再生塔１００は、リボイリング装置をさらに含む。リボイリング装置は、図１に示したとおり、第２再生塔整流器１４０の下部に配置され、リッチ吸収液タンク１６０、リボイラ１７０、再生塔セパレータ１５０、そしてリーン吸収液タンク１８０を含む。リボイリング装置は、第２再生塔整流器１４０から供給されるリッチ吸収液に含まれたガスを再生する。
リッチ吸収液タンク１６０は、図３に示したとおり、リッチ吸収液連結ライン１５２を通じて再生塔ハウジング１０２に流体が流れるように連通し、第２再生塔整流器１４０を通過したリッチ吸収液および／または凝縮水は、リッチ吸収液連結ライン１５２を通じてリッチ吸収液タンク１６０に供給される。リッチ吸収液タンク１６０の下部には、リッチ吸収液流出口１６２が形成されている。
リボイラ１７０は、第２再生塔整流器１４０下部の再生塔ハウジング１０２内部に装着され、再生塔ハウジング１０２の底から設定間隔ほど上部に位置する。リボイラ１７０は、リッチ吸収液を沸騰させてリッチ吸収液から再生ガスを分離する。リボイラ１７０は、リッチ吸収液流入口１０６、第１作動媒体流入口１７２、第１循環ライン１７６、第２循環ライン１７８、そして第１作動媒体流出口１７４を含む。
【００２８】
リッチ吸収液流入口１０６は、再生塔ハウジング１０２の下部に形成され、リッチ吸収液流出口１６２と流体が流れるように連通してリッチ吸収液タンク１６０からリッチ吸収液の供給を受ける。従って、リッチ吸収液タンク１６０は、再生塔ハウジング１０２にリッチ吸収液を供給する。再生塔ハウジング１０２にリッチ吸収液が供給されることにより、再生塔ハウジング１０２内のリッチ吸収液水位はますます高まり、リボイラ１７０にリッチ吸収液が供給される。
第１作動媒体流入口１７２は、再生塔ハウジング１０２のリボイラ１７０に対応する位置に形成され、リボイラ１７０に作動媒体を供給する。作動媒体は、発電所やボイラ設備で発生する水蒸気であってもよいが、これに限定されない。
第１循環ライン１７６は、リボイラ１７０内に形成され、第１作動媒体流入口１７２を通じて供給された作動媒体は、第１循環ライン１７６内で流れる。第１循環ライン１７６は、再生塔ハウジング１０２の内部と流体が流れるように連通していない。
第２循環ライン１７８は、リボイラ１７０内に形成され、第１循環ライン１７６に近接して形成される。通常、リボイラ１７０内で第１循環ライン１７６を除いた部分は、第２循環ライン１７８となる。第２循環ライン１７８は、再生塔ハウジング１０２内部と流体が流れるように連通しており、再生塔ハウジング１０２に供給されたリッチ吸収液の水位が高くなれば、リッチ吸収液は第２循環ライン１７８内にある。この時、第２循環ライン１７８内のリッチ吸収液は、第１循環ライン１７６を流れる作動流体と熱交換して加熱される。従って、リッチ吸収液から再生ガスが分離し、リボイラ１７０の上部にはリーン吸収液が位置する。また、リッチ吸収液から分離された再生ガスは、再生塔ハウジング１０２の上部に移動する。
【００２９】
第１作動媒体流出口１７４は、再生塔ハウジング１０２のリボイラ１７０に対応する位置に形成され、第１循環ライン１７６を循環した作動流体は、第１作動媒体流出口１７４を通じて再生塔ハウジング１０２の外部に排出する。
ここでは、リボイラ１７０が作動媒体との熱交換を通じてリッチ吸収液を加熱する熱交換器であることを例示したが、これに限定されない。リボイラ１７０では、電流の供給を受けて発熱する電気熱線を含んでもよい。
再生塔セパレータ１５０は、第２再生塔整流器１４０とリボイラ１７０との間の再生塔ハウジング１０２の内部に装着され、リボイラ１７０へのリッチ吸収液の供給経路とリボイラ１７０で発生した再生ガスの排出経路とを分離する。このような目的のために、再生塔セパレータ１５０は、図４に示したとおり、第２装着プレート１９０、第２本体１９２、そして第２ガス迂回ポート１９６を含む。
第２装着プレート１９０は、リッチ吸収液連結ライン１５２と再生塔ハウジング１０２との連結部位の下部で、再生塔ハウジング１０２を横切って配置される。第２装着プレート１９０には、少なくとも一つの第２ガス流動孔１９４が形成されている。
【００３０】
第２本体１９２は、第２装着プレート１９０の上面に装着されて上方向に延長している。第２本体１９２の上面は、第２屋根１９８によって塞がれており、上部から落下するリッチ吸収液および／または凝縮水は、第２本体１９２の内部に入られず、第２装着プレート１９０の上に溜まり、第２装着プレート１９０の上に溜まっているリッチ吸収液は、リッチ吸収液連結ライン１５２を通じてリッチ吸収液タンク１６０に移動する。また、第２本体１９２は、少なくとも一つの第２ガス流動孔１９４を全て囲むように形成され、第２装着プレート１９０に溜まるリッチ吸収液がリボイラ１７０に直接供給されることを防止する。
少なくとも一つの第２ガス迂回ポート１９６は、第２本体１９２の側面に形成され、第２本体１９２の内部と外部とを流体が流れるように連通する。少なくとも一つの第２ガス迂回ポート１９６は、第２装着プレート１９０から設定された高さに形成され、第２装着プレート１９０の上に溜まっているリッチ吸収液が第２ガス迂回ポート１９６を通じて第２本体１９２の内部に入ることを防止する。つまり、リッチ吸収液連結ライン１５２の垂直位置は、少なくとも一つの第２ガス迂回ポート１９６の垂直位置よりさらに低く位置する。
リーン吸収液タンク１８０は、図３に示したとおり、リーン吸収液連結ライン１５４を通じて再生塔ハウジング１０２に流体が流れるように連通して、リボイラ１７０で再生ガスが分離されたリーン吸収液は、リーン吸収液連結ライン１５４を通じてリーン吸収液タンク１８０に流れる。リーン吸収液連結ライン１５４と再生塔ハウジング１０２との連結部位は、第２装着プレート１９０とリボイラ１７０との間に位置する。従って、リボイラ１７０で再生が完了したリッチ吸収液は、再生塔セパレータ１５０に供給されず、リーン吸収液タンク１８０に供給される。
【００３１】
リーン吸収液タンク１８０の下段には、リーン吸収液流出口１８２が形成され、リーン吸収液流出口１８２は、リーン吸収液ライン６０を通じてリーン吸収液供給機１２と連結される。従って、リーン吸収液タンク１８０内のリーン吸収液は、リーン吸収液ライン６０を通じてリーン吸収液供給機１２に再び供給される。また、リーン吸収液タンク１８０内部には、支持プレート１８４が装着され、支持プレート１８４には、レベルセンサーと圧力センサーが装着される。レベルセンサーは、リーン吸収液タンク１８０内のリーン吸収液のレベルを測定し、圧力センサーは、リーン吸収液タンク１８０の圧力を測定する。また、レベルセンサーと圧力センサーとの測定結果に基づいて、リーン吸収液流出口１８２を選択的に開閉してもよい。
吸収塔１０から第１リッチ吸収液供給機１１２または第２リッチ吸収液供給機１３２を通じてリッチ吸収液が再生塔ハウジング１０２内に供給されれば、リッチ吸収液は、重力によって下に移動する。この時、リッチ吸収液の流れは、第１再生塔整流器１２０または第２再生塔整流器１４０によって整流される。
リッチ吸収液は、図３の実線矢印に示したとおり、第２屋根１９８によって第２本体１９２内部に移動せず第２装着プレート１９０に移動して、第２装着プレート１９０の上面に溜まる。第２装着プレート１９０上面に溜まっているリッチ吸収液の表面高さがリッチ吸収液連結ライン１５２の最下段高さより高くなれば、リッチ吸収液は、リッチ吸収液連結ライン１５２を通じてリッチ吸収液タンク１６０に供給され、リッチ吸収液流出口１６２およびリッチ吸収液流入口１０６を通じて再生塔ハウジング１０２に供給される。
【００３２】
再生塔ハウジング１０２内のリッチ吸収液のレベルが高くなりリッチ吸収液がリボイラ１７０に供給されれば、リッチ吸収液と作動流体との間の熱交換を通じてリッチ吸収液は加熱し、再生ガスはリッチ吸収液から分離される。リッチ吸収液から分離された再生ガスは、図３の点線矢印で示したとおり、第２ガス流動孔１９４と第２ガス迂回ポート１９６を通じて第２本体１９２の外部に移動する。再生ガスは、上部に移動して、再生ガス流出口１０４を通じて再生塔ハウジング１０２から排出され、ガス凝縮装置２００へ導かれる。
一方、リッチ吸収液がリボイラ１７０に供給し続けられることにより、再生ガスが分離されたリーン吸収液の水位は高くなり続ける。リーン吸収液の表面高さがリーン吸収液連結ライン１５４の最下段高さより高くなれば、リーン吸収液は、リーン吸収液連結ライン１５４を通じてリーン吸収液タンク１８０に供給される。リーン吸収液タンク１８０に供給されたリーン吸収液は、リーン吸収液流出口１８２を通じて吸収塔１０に再び供給される。
図５に示したとおり、本発明の実施例に係るガス凝縮装置２００は、ハウジング２０２を含む。
ハウジング２０２は、その内部に空間が形成され、空間の上部には凝縮器２１０が設置され、空間の下部には還流器２２０が設置される。
【００３３】
凝縮器２１０は、ハウジング２０２内で上部に装着され、再生ガスを凝縮させて凝縮水と目標ガスとを分離する。凝縮器２１０は、第２作動媒体流入口２１２、第３循環ライン２１６、第４循環ライン２１８、そして第２作動媒体流出口２１４を含む。
第２作動媒体流入口２１２は、ハウジング２０２の凝縮器２１０に対応する位置に形成され、凝縮器２１０に作動媒体を供給する。作動媒体は、冷却水であってもよいが、これに限定されない。
第３循環ライン２１６は、凝縮器２１０内に形成され、第２作動媒体流入口２１２を通じて供給された作動媒体は、第３循環ライン２１６内で流れる。第３循環ライン２１６は、ハウジング２０２の内部と流体が流れるように連通していない。
第４循環ライン２１８は、凝縮器２１０内に形成され、第３循環ライン２１６に近接して形成される。通常、凝縮器２１０内で第３循環ライン２１６を除いた部分は、第４循環ライン２１８となる。第４循環ライン２１８は、ハウジング２０２内部と流体が流れるように連通しており、ハウジング１０２に供給された再生ガスは、第４循環ライン２１８を通過する。この時、第４循環ライン２１８内の再生ガスは、第３循環ライン２１６を流れる作動流体と熱交換して凝縮される。従って、目標ガスが凝縮水から分離して、凝縮水は還流器２２０に供給される。
【００３４】
第２作動媒体流出口２１４は、ハウジング２０２の凝縮器２１０に対応する位置に形成され、第３循環ライン２１６を循環した作動流体は、第２作動媒体流出口２１４を通じてハウジング２０２の外部に排出する。
還流器２２０は、図５に示したとおり、凝縮水チャンバー２５０と還流セパレータ２３０とを含む。
凝縮水チャンバー２５０は、ハウジング２０２の下部に形成され、凝縮水を一時的に保存する。
還流セパレータ２３０は、凝縮器２１０と凝縮水チャンバー２５０との間のハウジング２０２内部に配置されている。還流セパレータ２３０は、凝縮水チャンバー２５０に供給される凝縮水の入口と凝縮水チャンバー２５０から出る蒸発ガスの出口とを分離する。このような目的のために、還流セパレータ２３０は、図５に示したとおり、第３装着プレート２３２、第３本体２３４、そして第３ガス迂回ポート２３８を含む。
【００３５】
第３装着プレート２３２は、凝縮器２１０の下部でハウジング２０２を横切って配置される。第３装着プレート２３２には、少なくとも一つの第３ガス流動孔２３６と第２液体供給管２４２が形成されている。
第３本体２３４は、第３装着プレート２３２の上面に装着され、上方向に延長している。第３本体２３４の上面は、第３屋根２４０によって塞がれており、上部から落下する凝縮水が第３本体２３４の内部に入られず、第３装着プレート２３２上に溜まり、第３装着プレート２３２上に溜まっている凝縮水は、第２液体供給管２４２を通じて凝縮水チャンバー２５０に供給される。この時、第２液体供給管２４２は、凝縮水チャンバー２５０の下部にハウジング２０２の底付近まで延長している。従って、凝縮水は、凝縮水チャンバー２５０に一時的に保存される凝縮水の水面下に供給され、それにより、凝縮水チャンバー２５０に一時的に保存された凝縮水の水面に大きな揺動が発生せず、水位調節が容易になる。
また、第３本体２３４は、少なくとも一つの第３ガス流動孔２３６を全て囲むように形成され、凝縮水が第３本体２３４を通じて凝縮水チャンバー２５０に一時的に保存される凝縮水の水面に向かって直接供給されることを防止する。
【００３６】
少なくとも一つの第３ガス迂回ポート２３８は、第３本体２３４の側面に形成され、第３本体２３４の内部と外部とを流体が流れるように連通する。少なくとも一つの第３ガス迂回ポート２３８は、第３装着プレート２３２から設定された高さに形成され、第３装着プレート２３２上に溜まっている凝縮水が第３ガス迂回ポート２３８を通じて第３本体２３４の内部に入ることを防止する。
ハウジング２０２には、再生ガス流入口２０４、凝縮水流出口２０６、そして目標ガス排出口２０８がさらに形成されている。
再生ガス流入口２０４は、ハウジング２０２の上段部に形成され、再生塔ハウジング１０２の再生ガス流出口１０４と流体が流れるように連通している。従って、再生塔１００で発生した再生ガスは、再生ガス流出口１０４と再生ガス流入口２０４を連結する再生ガスライン１０７を通じてハウジング２０２の上段部に供給される。
凝縮水流出口２０６は、ハウジング２０２の下段部に形成され、凝縮水ライン１０９を通じて第１リッチ吸収液供給機１１２に連結している。従って、凝縮水チャンバー２５０に一時的に保存された凝縮水は、凝縮水流出口２０６および凝縮水ライン１０９を通じて再生塔１００に再び供給される。凝縮水ライン１０９には、第３ポンプ１１１が装着され、凝縮水チャンバー２５０の凝縮水をポンピングする。
【００３７】
目標ガス排出口２０８は、凝縮器２１０と還流セパレータ２３０との間のハウジング２０２に形成されている。凝縮器２１０で凝縮水と分離された目標ガスは、目標ガス排出口２０８を通じてガス凝縮装置２００から排出して、別途のタンクなどに捕集される。
再生ガスは、再生ガス流入口２０４を通じてガス凝縮装置２００の上部に供給される。ガス凝縮装置２００に供給された再生ガスは、ガス凝縮装置２００の下部に移動しながら凝縮器２１０を通過する。この時、再生ガスは、凝縮器２１０で凝縮されて凝縮水と目標ガスとに分離される。
【００３８】
目標ガスは、目標ガス排出口２０８を通じてガス凝縮装置２００外部に排出し、凝縮水は、第３装着プレート２３２に溜まった後、第２液体供給管２４２を通じて凝縮水チャンバー２５０の下部に供給される。従って、凝縮水チャンバー２５０に保存された凝縮水の水面に大きな揺動が発生せず、水位調節が容易になる。
また、凝縮水チャンバー２５０に一時的に保存された凝縮水から蒸発ガスが蒸発する。蒸発ガスは、還流セパレータ２３０の第３ガス流動孔２３６と第３ガス迂回ポート２３８を通じて凝縮水チャンバー２５０から出て、凝縮器２１０で再び凝縮される。この時、凝縮水が凝縮水チャンバー２５０に供給される経路と蒸発ガスが凝縮水チャンバー２５０から出る経路とが分離しているので、凝縮水と蒸発ガスとの間の移動干渉をなくし、蒸発ガスの再凝縮を容易にする。
一方、凝縮水チャンバー２５０に一時的に保存された凝縮水は、凝縮水ライン１０９を通じて再生塔１００に再び供給される。
【００３９】
以上により、本発明に関する好ましい実施例を説明したが、本発明の範囲は特定の実施例に限定されるものではなく、特許請求の範囲によって解釈されなければならない。また、この技術分野で通常の知識を有する者なら、本発明の技術的範囲内で多くの修正と変形ができることはいうまでもない。  
【符号の説明】
【００４０】
１：ガス捕集プラント
２：吸収塔ハウジング
４：処理ガス流出口
６：対象ガス流入口
８：吸収塔流出口
９：吸収液チャンバー
１０：吸収塔
１２：リーン吸収液供給機
１４，１１４，１３４：プレート
１６，１１６，１３６：貫通孔
２０：吸収塔整流器
３０：吸収反応セパレータ
３２：第１本体
３４：第１装着プレート
３６：第１ガス流動孔
３８：第１ガス迂回ポート
３９：第１屋根
４０：第１液体供給管
５０：リッチ吸収液ライン
５２：第１ポンプ
６０：リーン吸収液ライン
６２：第２ポンプ
７０，８０：熱交換器
１００：再生塔
１０２：再生塔ハウジング
１０４：再生ガス流出口
１０６：リッチ吸収液流入口
１０７：再生ガスライン
１０９：凝縮水ライン
１１１：第３ポンプ
１１２：第１リッチ吸収液供給機
１２０：第１再生塔整流器
１３２：第２リッチ吸収液供給機
１４０：第２再生塔整流器
１５０：再生塔セパレータ
１５２：リッチ吸収液連結ライン
１５４：リーン吸収液連結ライン
１６０：リッチ吸収液タンク
１６２：リッチ吸収液流出口
１７０：リボイラ
１７２：第１作動媒体流入口
１７４：第１作動媒体流出口
１７６：第１循環ライン
１７８：第２循環ライン
１８０：リーン吸収液タンク
１８２：リーン吸収液流出口
１８４：支持プレート
１９０：第２装着プレート
１９２：第２本体
１９４：第２ガス流動孔
１９６：第２ガス迂回ポート
１９８：第２屋根
２００：ガス凝縮装置
２０２：ハウジング
２０４：再生ガス流入口
２０６：凝縮水流出口
２０８：目標ガス排出口
２１０：凝縮器
２１２：第２作動媒体流入口
２１４：第２作動媒体流出口
２１６：第３循環ライン
２１８：第４循環ライン
２２０：還流器
２３０：還流セパレータ
２３２：第３装着プレート
２３４：第３本体
２３６：第３ガス流動孔
２３８：第３ガス迂回ポート
２４０：第３屋根
２４２：第２液体供給管
２５０：凝縮水チャンバー
【図１】
0006649736.tif 000002
【図２】
0006649736.tif 000003
【図３】
0006649736.tif 000004
【図４】
0006649736.tif 000005
【図５】
0006649736.tif 000006